(57)【特許請求の範囲】
【請求項１】
複数のスロットを有するステータコアと、
前記スロットに配置される第１コイルと、
前記第１コイルが配置される前記スロットとは異なる前記スロットに配置される第２コイルと、を備え、
前記第１コイルのリード線部の先端部は、コイルエンドにおいて周方向の一方側を向き、
前記第２コイルのリード線部の先端部は、前記コイルエンドにおいて周方向の他方側を向き、
周方向の一方側に延びる前記第１コイルのリード線部の先端部の接合部と、周方向の他方側に延びる前記第２コイルのリード線部の先端部の接合部とが互いに接合されており、
前記第１コイルのリード線部の先端部の接合部と、前記第２コイルのリード線部の先端部の接合部とは、回転軸線方向から見て、前記スロットの根元部よりも外径側で、かつ、前記ステータコアの最も外径側の部分よりも内径側に位置し、
前記第１コイルのリード線部の先端部の接合部と、前記第２コイルのリード線部の先端部の接合部とは、前記スロットの根元部近傍で、かつ前記スロットの間に形成されたティース上において、互いに接合されている、ステータ。
【請求項２】
前記第１コイルのリード線部は、前記スロットの内径側において前記回転軸線方向に延びた後、内径側から外径側に向かってかつ周方向の一方側に延びるように形成されており、
前記第２コイルのリード線部は、前記スロットの外径側において前記回転軸線方向に延びた後、コイルエンド部の近傍で周方向の他方側に延びるように形成されている、請求項１に記載のステータ。
【請求項３】
前記第２コイルのリード線部は、前記スロットの外径側において前記回転軸線方向に延びた後、前記コイルエンド部よりも前記回転軸線方向に低い位置で周方向の他方側に延びるように形成されている、請求項２に記載のステータ。
【請求項４】
前記第１コイルのリード線部の全体、および、前記第２コイルのリード線部の全体は、前記回転軸線方向から見て、前記スロットの根元部から外径側に、前記第１コイルかまたは前記第２コイルを構成する導線１本分だけずれた位置よりも内径側に位置する、請求項１〜３のいずれか１項に記載のステータ。
【請求項５】
前記第１コイルおよび前記第２コイルは、共に、内径側から外径側に延びる内径側リード線部と、外径側に位置する外径側リード線部と、を有し、
前記第１コイルの前記内径側リード線部の先端部の接合部と、前記第２コイルの前記外径側リード線部の先端部の接合部とが、互いに接合されている、請求項１〜４のいずれか１項に記載のステータ。
【請求項６】
前記内径側リード線部は、内径側から外径側に向かって、かつ周方向の一方側に延びるように形成されており、
前記第１コイルの前記内径側リード線部の先端部が周方向の一方側を向き、前記第２コイルの前記外径側リード線部の先端部が周方向の他方側を向いた状態で、前記第１コイルの前記内径側リード線部の先端部の接合部と、前記第２コイルの前記外径側リード線部の先端部の接合部とが互いに接合されている、請求項５に記載のステータ。
【請求項７】
前記内径側リード線部は、内径側から外径側に向かって、かつ周方向の一方側に延びるように形成された直線部と、前記直線部から連続するように設けられ、前記内径側リード線部の先端部を、周方向に沿う方向を向くように折り曲げる折り曲げ部と、を有する、請求項６に記載のステータ。
【請求項８】
前記内径側リード線部は、内径側から外径側に向かって、かつ周方向の一方側に先端部まで直線状に延びるように形成された直線部を有する、請求項６に記載のステータ。
【請求項９】
前記内径側リード線部の前記直線部の先端部の外径側には、面取り部が形成されている、請求項８に記載のステータ。
【請求項１０】
前記第１コイルの前記内径側リード線部の先端部の接合部と、前記第２コイルの前記外径側リード線部の先端部の接合部とが、前記回転軸線方向に互いに接合されている、請求項５〜９のいずれか１項に記載のステータ。
【請求項１１】
前記第２コイルの前記外径側リード線部の先端部が、前記第１コイルの前記内径側リード線部の先端部よりも、前記ステータコアの前記回転軸線方向の端面側に配置されるように、前記第１コイルの前記内径側リード線部の先端部の接合部と、前記第２コイルの前記外径側リード線部の先端部の接合部とが、前記回転軸線方向に互いに接合されている、請求項１０に記載のステータ。
【請求項１２】
前記第１コイルの前記内径側リード線部の先端部の接合部と、前記第２コイルの前記外径側リード線部の先端部の接合部とが、径方向に互いに接合されている、請求項５〜９のいずれか１項に記載のステータ。
【請求項１３】
前記第２コイルの前記外径側リード線部の先端部が、前記第１コイルの前記内径側リード線部の先端部よりも、外径側に配置されるように、前記第１コイルの前記内径側リード線部の先端部の接合部と、前記第２コイルの前記外径側リード線部の先端部の接合部とが、径方向に互いに接合されている、請求項１２に記載のステータ。
【請求項１４】
前記外径側リード線部の先端部の接合部は、前記スロットの根元部近傍において、前記外径側リード線部の前記スロットからの出口位置に対して、外径側にずれた位置に位置する、請求項４〜１３のいずれか１項に記載のステータ。
【請求項１５】
前記第１コイルおよび前記第２コイルは、平角導線が巻回されてなり、
前記第１コイルの前記リード線部の先端部の接合部と、前記第２コイルの前記リード線部の先端部の接合部との接合長さは、前記平角導線の断面視における長辺の長さ以上である、請求項１〜１４のいずれか１項に記載のステータ。
【請求項１６】
前記第１コイルおよび前記第２コイルは、平角導線が巻回されてなり、
前記第１コイルの前記リード線部の先端部の接合部と、前記第２コイルの前記リード線部の先端部の接合部とでは、前記平角導線の断面視における短辺側と、前記平角導線の断面視における長辺側とが、互いに接合されている、請求項１〜１５のいずれか１項に記載のステータ。
【発明の詳細な説明】
【技術分野】
【０００１】
本発明は、ステータに関する。
【背景技術】
【０００２】
従来、コイルを備えるステータが知られている。このようなステータは、たとえば、特開２００９−２１９３４３号公報に記載されている。【０００３】
上記特開２００９−２１９３４３号公報には、複数のスロットを有する固定子鉄心と、スロットに配置される複数のコイルとを備える固定子（ステータ）が開示されている。この固定子では、互いに接続された２つのコイルは、スロットの先端側（内径側）においてコイルエンド方向（回転軸線方向）に引き出された先端側コイル端末を有する第１コイルと、スロットの底側（外径側）においてコイルエンド方向に引き出され、第１コイルの先端側コイル端末に接続される底側コイル端末を有する第２コイルとからなる。そして、第１コイルの先端側コイル端末の接続部（先端部）と、第２コイルの底側コイル端末の接続部（先端部）とは、共に径方向外周側に向いた状態で、互いに接合されている（たとえば、図８）。
【先行技術文献】
【特許文献】
【０００４】
【特許文献１】特開２００９−２１９３４３号公報
【発明の概要】
【発明が解決しようとする課題】
【０００５】
しかしながら、上記特開２００９−２１９３４３号公報に記載された固定子では、第１コイルの先端側コイル端末の接続部と、第２コイルの底側コイル端末の接続部とが、共に径方向外周側（外径側）に向いた状態で互いに接合されているため、２つの接続部の接続部分が、固定子鉄心の外径側の部分（バックヨーク）の上方領域（回転軸線方向外側の領域）に延びて、固定子鉄心の外径側の部分の上方のスペースを占有してしまうという不都合がある。【０００６】
この発明は、上記のような課題を解決するためになされたものであり、この発明の１つの目的は、固定子鉄心の外径側の部分の回転軸線方向外側をコンパクトにすることが可能なステータを提供することである。
【課題を解決するための手段】
【０００７】
上記目的を達成するために、この発明の一の局面におけるステータは、複数のスロットを有するステータコアと、スロットに配置される第１コイルと、第１コイルが配置されるスロットとは異なるスロットに配置される第２コイルと、を備え、第１コイルのリード線部の先端部は、コイルエンドにおいて周方向の一方側を向き、第２コイルのリード線部の先端部は、コイルエンドにおいて周方向の他方側を向き、周方向の一方側に延びる第１コイルのリード線部の先端部の接合部と、周方向の他方側に延びる第２コイルのリード線部の先端部の接合部とが互いに接合されており、第１コイルのリード線部の先端部の接合部と、第２コイルのリード線部の先端部の接合部とは、回転軸線方向から見て、スロットの根元部よりも外径側で、かつ、ステータコアの最も外径側の部分よりも内径側に位置し、第１コイルのリード線部の先端部の接合部と、第２コイルのリード線部の先端部の接合部とは、スロットの根元部近傍で、かつスロットの間に形成されたティース上において、互いに接合されている。なお、本明細書では、リード線部の先端部が周方向を向く（周方向の一方側を向く、周方向の他方側を向く）とは、リード線部の先端部が向く方向が、周方向の接線方向に対して４５度未満の傾き角度を有する状態を意味する。
【０００８】
この発明の一の局面によるステータは、上記のように、周方向の一方側に延びる第１コイルのリード線部の先端部の接合部と、周方向の他方側に延びる第２コイルのリード線部の先端部の接合部とを互いに接合する。これにより、第１コイルのリード線部の先端部と、第２コイルのリード線部の先端部との接合部分が周方向に延びるので、接合部分が外径側に延びる場合に比べて、ステータコアの外径側の部分（バックヨーク）の回転軸線方向外側領域に延びることを防止することができる。その結果、ステータコア（固定子鉄心）の外径側の部分の回転軸線方向外側をコンパクトにすることができる。
【発明の効果】
【０００９】
本発明によれば、上記のように、ステータコアの外径側の部分の回転軸線方向外側をコンパクトにすることが可能なステータを提供することができる。
【図面の簡単な説明】
【００１０】
【図１】本発明の第１実施形態によるステータの平面図である。
【図２】本発明の第１実施形態によるステータの側面図である。
【図３】本発明の第１実施形態によるステータの斜視図である。
【図４】本発明の第１実施形態のステータの一のコイルを内径側から見た斜視図である。
【図５】本発明の第１実施形態のステータの一のコイルを外径側から見た斜視図である。
【図６】本発明の第１実施形態のステータの他のコイルを内径側から見た斜視図である。
【図７】本発明の第１実施形態のステータの他のコイルを外径側から見た斜視図である。
【図８】本発明の第１実施形態のステータのコイル部を内径側から見た部分拡大側面図である。
【図９】本発明の第１実施形態のステータのコイル部の部分拡大平面図である。
【図１０】本発明の第１実施形態のステータのコイル部を内径側から見た部分拡大斜視図である。
【図１１】本発明の第１実施形態によるステータの部分拡大斜視図である。
【図１２】本発明の第１実施形態のステータのコイルのリード線部の先端部同士の接合長さを説明するための模式図である。
【図１３】本発明の第２実施形態によるステータの平面図である。
【図１４】本発明の第２実施形態によるステータの側面図である。
【図１５】本発明の第２実施形態によるステータの斜視図である。
【図１６】本発明の第２実施形態によるステータの部分拡大斜視図である。
【図１７】本発明の第３実施形態によるステータの部分拡大斜視図である。
【図１８】本発明の第３実施形態によるステータの部分拡大平面図である。
【図１９】本発明の第４実施形態によるステータの部分拡大平面図である。
【発明を実施するための形態】
【００１１】
以下、本発明の実施形態を図面に基づいて説明する。
【００１２】
（ステータの構造）
図１〜図１２を参照して、第１実施形態によるステータ１００の構造について説明する。
【００１３】
ステータ１００は、ロータ（図示せず）とともに回転電機（図示せず）に用いられる固定子である。
【００１４】
図１〜図３に示すように、ステータ１００は、ステータコア１０と、ステータコア１０に巻き回されるコイル部２０とを備えている。
【００１５】
ステータコア１０は、たとえば、複数の電磁鋼板が回転軸線方向（Ｚ方向）に積層されることにより形成されている。ステータコア１０は、略円環形状を有している。ステータコア１０の内径側には、ロータを配置するための空間が形成されている。ステータコア１０は、略円環形状を有するバックヨーク１１と、バックヨーク１１から内径側に向かって延びる複数のティース１２とを含んでいる。複数のティース１２は、周方向に沿って略等角度間隔で設けられている。隣接するティース１２の間には、スロット１３が形成されている。つまり、ステータコア１０は、複数のスロット１３を有している。
【００１６】
コイル部２０は、複数のスロット１３に配置される複数のコイル３０から構成されている。また、コイル部２０は、全体として、略円環形状を有している。コイル３０は、同芯巻コイルである。また、コイル３０は、断面が略長方形形状を有する平角導線が巻き回されることにより形成される。また、コイル３０は、全体として、略６角形形状を有している。なお、コイル部２０を構成する各コイル３０は、ステータ１００が３相交流モータに適用される場合には、Ｕ相コイル、Ｖ相コイルおよびＷ相コイルのいずれかを構成する。
【００１７】
ステータ１００では、図４〜図７に示すように、互いに形状が異なる二種類のコイル３０が用いられている。以下では、図４および図５に示す一のコイル３０を、コイル３１０と称し、図６および図７に示す他のコイル３０を、コイル３２０と称する。コイル３１０とコイル３２０とは、周方向に沿って、複数のスロット１３に交互に配置されている。コイル３０、３１０および３２０は、分布巻きである。まず、図４および図５を参照して、コイル３１０について説明する。なお、コイル３０、３１０および３２０は、請求の範囲の「第１コイル」および「第２コイル」の一例である。
【００１８】
図４および図５に示すように、コイル３１０は、スロット収容部３１１と、コイルエンド部３１２とを有している。スロット収容部３１１は、コイル３１０のうち、ステータコア１０のスロット１３に収容される部分である。スロット収容部３１１は、略直線形状を有している。コイルエンド部３１２は、コイル３１０のうち、ステータコア１０の回転軸線方向（Ｚ方向）の端部から回転軸線方向の外側に突出する部分である。コイルエンド部３１２は、スロット収容部３１１を接続するとともに、回転軸線方向に突出するように屈曲する形状を有する屈曲部３１２ａと、電力を供給するためのリード線部３１２ｂとを含んでいる。屈曲部３１２ａは、径方向に階段状に屈曲するクランク状に形成されたクランク部３１２ｃと、ステータコア１０の円弧に合わせて円弧状に湾曲する湾曲部３１２ｄとを含んでいる。リード線部３１２ｂは、内径側（Ｂ１方向側）に配置され、内径側から外径側（Ｂ２方向側）に延びる内径側リード線部３１３と、外径側に位置する外径側リード線部３１４とを含んでいる。内径側リード線部３１３と外径側リード線部３１４とは、共に、回転軸線方向の一方側（Ｚ１方向側）に配置されている。
【００１９】
内径側リード線部３１３は、最内径側のスロット収容部３１１から連続するように設けられている。内径側リード線部３１３は、スロット１３の内径側において最内径側（最もＢ１方向側）のスロット収容部３１１から回転軸線方向の一方側に延びた後、内径側から外径側（Ｂ２方向側）に向かって、周方向の一方側（Ａ２方向側）に延びるように形成されている（図１１参照）。また、内径側リード線部３１３は、内径側から外径側に向かって、かつ周方向の一方側に延びるように形成された直線部３１３ａと、内径側リード線部３１３の先端部３１３ｂを、周方向の一方方向（Ａ２方向）に沿う方向を向くように折り曲げる折り曲げ部３１３ｃとを有している。直線部３１３ａは、図８〜図１０に示すように、コイルエンド部３１２の屈曲部３１２ａを径方向に跨ぐように、周方向の一方側に延びるように形成されている。また、直線部３１３ａは、屈曲部３１２ａのクランク部３１２ｃよりも、概略平角導線１本分だけ回転軸線方向の外側において、径方向に沿って、周方向の一方側に延びるように形成されている。なお、図８〜図１０では、理解の容易のため、コイル部２０を構成するコイル３０の一部のみを図示している。折り曲げ部３１３ｃは、内径側リード線部３１３の先端部３１３ｂの近傍に設けられている。また、折り曲げ部３１３ｃは、内径側リード線部３１３の先端部３１３ｂが周方向の一方方向（Ａ２方向）に沿う方向を向くように、内径側リード線部３１３の先端部３１３ｂを、直線部３１３ａが延びる方向から内径側に折り曲げる形状を有している。
【００２０】
外径側リード線部３１４は、最外径側（最もＢ２方向側）のスロット収容部３１１から連続するように設けられている。外径側リード線部３１４は、スロット１３の外径側において最外径側のスロット収容部３１１から回転軸線方向の一方側（Ｚ１方向側）に延びた後、周方向に沿って、コイルエンド部（３１２、３２２）の近傍で（コイルエンド部（３１２、３２２）よりも回転軸線方向に低い位置で）周方向の他方側（Ａ１方向側）に延びるように形成されている（図１１参照）。また、外径側リード線部３１４は、コイル３２０の後述する外径側リード線部３２４よりも長さが長く、外径側リード線部３２４の内径側を通って、外径側リード線部３２４よりも周方向の他方側まで延びるように形成されている。また、外径側リード線部３１４は、外径側リード線部３１４の先端部３１４ａの近傍において、外径側リード線部３１４の先端部３１４ａを、周方向の他方方向に沿う方向を向くように折り曲げる折り曲げ部３１４ｂを有している。折り曲げ部３１４ｂは、外径側リード線部３１４の先端部３１４ａを、回転軸線方向から周方向の他方側に折り曲げる形状を有している。
【００２１】
次に、図６および図７を参照して、コイル３２０について説明する。
【００２２】
図６および図７に示すように、コイル３２０は、スロット収容部３２１と、コイルエンド部３２２とを有している。コイルエンド部３２２は、屈曲部３２２ａと、リード線部３２２ｂとを含んでいる。屈曲部３２２ａは、クランク部３２２ｃと、湾曲部３２２ｄとを含んでいる。リード線部３２２ｂは、内径側リード線部３２３を含んでいる。内径側リード線部３２３は、直線部３２３ａと、内径側リード線部３２３の先端部３２３ｂを、周方向の一方方向（Ａ２方向）に沿う方向を向くように折り曲げる折り曲げ部３２３ｃとを有している。コイル３２０のこれらの構成は、コイル３１０の対応する構成と略同様の構成であるので、詳細な説明は省略する。また、コイル３２０のリード線部３２２ｂは、外径側リード線部３２４を含んでいる。コイル３２０のリード線部３２２ｂの外径側リード線部３２４は、コイル３１０のリード線部３１２ｂの外径側リード線部３１４の長さよりも長さが短い点で、外径側リード線部３１４と相違する。また、外径側リード線部３２４は、外径側リード線部３２４の先端部３２４ａの近傍において、外径側リード線部３２４の先端部３２４ａを、周方向の他方方向（Ａ１方向）に沿う方向を向くように折り曲げる折り曲げ部３２４ｂを有している。
【００２３】
ステータ１００では、先端部同士が接合されるコイル３０（３１０、３２０）は、互いに異なるスロット１３に配置されている。先端部同士が接合されるコイル３０（３１０、３２０）は、たとえば、６つ隣りのスロット１３に配置されている。また、ステータ１００では、コイル３１０の内径側リード線部３１３の先端部３１３ｂと、コイル３２０の外径側リード線部３２４の先端部３２４ａとが互いに接合されているとともに、コイル３２０の内径側リード線部３２３の先端部３２３ｂと、コイル３１０の外径側リード線部３１４の先端部３１４ａとが互いに接合されている。つまり、ステータ１００では、互いに異なる形状を有するコイル３１０および３２０の先端部同士が、互いに接合される。接合は、超音波接合や、レーザや電子ビームなどの高エネルギビームによるキーホール溶接、導電性接着剤などにより行われる。
【００２４】
ここで、第１実施形態では、図１１に示すように、周方向の一方側に延びるコイル３１０（３２０）の内径側リード線部３１３（３２３）の先端部３１３ｂ（３２３ｂ）の接合部３１３ｂａ（３２３ｂａ）と、周方向の他方側に延びるコイル３２０（３１０）の外径側リード線部３２４（３１４）の先端部３２４ａ（３１４ａ）の接合部３２４ａａ（３１４ａａ）とが、コイル３０（３１０、３２０）の外径側（スロット１３の根元部近傍）において、互いに接合されている。コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とは、回転軸線方向から見て、スロット１３の根元部よりも外径側で、かつ、ステータコア１０の最も外径側の部分よりも内径側に位置する。また、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とは、スロット１３の根元部よりも概略平角導線１本分だけ外径側において、互いに接合されている。また、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とは、ティース１２上（平面視においてティース１２と重なる位置）において、互いに接合されている。
【００２５】
また、コイル３１０（３２０）の内径側リード線部３１３（３２３）の全体、および、コイル３２０（３１０）の外径側リード線部３２４（３１４）の全体は、回転軸線方向から見て、スロット１３の根元部（スロット１３の最外径位置Ｐ１（太い一点鎖線により示す））から外径側に、コイル３１０（３２０）を構成する平角導線１本分だけずれた位置（平角導線１本分だけずれた最外径位置Ｐ２（太い一点鎖線により示す））よりも内径側に位置している。また、コイル３１０（３２０）の内径側リード線部３１３（３２３）とコイル３２０（３１０）の外径側リード線部３２４（３１４）との接合部分は、回転軸線方向から見て、コイル３１０（３２０）における最外径位置に位置している。つまり、コイル３１０（３２０）の全体は、回転軸線方向から見て、位置Ｐ２よりも内径側に位置している。なお、位置Ｐ１から外径側に平角導線１本分だけずれた位置Ｐ２とは、位置Ｐ１から外径側に概略平角導線１本分だけずれた位置という意味である。つまり、位置Ｐ１から外径側に平角導線１本分だけずれた位置Ｐ２とは、位置Ｐ１から外径側に平角導線１本分だけずれた位置Ｐ２そのものだけでなく、この位置Ｐ２よりもわずかに外径側にずれた位置も含む概念である。また、導線が平角導線のように長辺および短辺を含む場合、導線１本分とは、平角導線の長辺の長さで１本分であってもよいし、平角導線の短辺の長さで１本分であってもよい。
【００２６】
また、コイルエンドにおいてコイル３１０（３２０）の内径側リード線部３１３（３２３）の先端部３１３ｂ（３２３ｂ）が周方向の一方側（Ａ２方向側）を向き、コイルエンドにおいてコイル３２０（３１０）の外径側リード線部３２４（３１４）の先端部３２４ａ（３１４ａ）が周方向の他方側（Ａ１方向側）を向いた状態で、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とが互いに接合されている。コイル３１０（３２０）の内径側リード線部３１３（３２３）の先端部３１３ｂ（３２３ｂ）、および、コイル３２０（３１０）の外径側リード線部３２４（３１４）の先端部３２４ａ（３１４ａ）は、共に、周方向の接線方向を向いている。コイル３１０（３２０）の内径側リード線部３１３（３２３）の先端部３１３ｂ（３２３ｂ）が向く方向と、コイル３２０（３１０）の外径側リード線部３２４（３１４）の先端部３２４ａ（３１４ａ）が向く方向とは、互いに略平行である。
【００２７】
また、第１実施形態では、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とが、回転軸線方向（Ｚ方向）に互いに接合されている。具体的には、コイル３２０（３１０）の外径側リード線部３２４（３１４）の先端部３２４ａ（３１４ａ）が、コイル３１０（３２０）の内径側リード線部３１３（３２３）の先端部３１３ｂ（３２３ｂ）よりも、ステータコア１０の回転軸線方向の端面側（Ｚ２方向側）に配置されるように、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とが、回転軸線方向（Ｚ方向）に互いに接合されている。なお、コイル３１０（３２０）の内径側リード線部３１３（３２３）の先端部３１３ｂ（３２３ｂ）と、コイル３２０（３１０）の外径側リード線部３２４（３１４）の先端部３２４ａ（３１４ａ）とが周方向に互いに向き合う方向を向き、かつ、回転軸線方向に互いに重なった状態で、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とが回転軸線方向に互いに接合されている。
【００２８】
また、第１実施形態では、図１１および図１２に示すように、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とでは、平角導線の断面視における短辺側と、平角導線の断面視における長辺側とが、互いに接合されている。具体的には、コイル３１０（３２０）の内径側リード線部３１３（３２３）の先端部３１３ｂ（３２３ｂ）の接合部３１３ｂａ（３２３ｂａ）の平角導線の断面視における長辺側と、コイル３２０（３１０）の外径側リード線部３２４（３１４）の先端部３２４ａ（３１４ａ）の接合部３２４ａａ（３１４ａａ）の平角導線の断面視における短辺側とが、互いに接合されている。つまり、コイル３１０（３２０）の内径側リード線部３１３（３２３）の先端部３１３ｂ（３２３ｂ）と、コイル３２０（３１０）の外径側リード線部３２４（３１４）の先端部３２４ａ（３１４ａ）とが断面Ｔ字形状を有するように、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）とが互いに接合されている。また、コイル３１０（３２０）の内径側リード線部３１３（３２３）の先端部３１３ｂ（３２３ｂ）の接合部３１３ｂａ（３２３ｂａ）と、コイル３２０（３１０）の外径側リード線部３２４（３１４）の先端部３２４ａ（３１４ａ）の接合部３２４ａａ（３１４ａａ）との接合長さＬは、平角導線の断面視における短辺の長さＴ以上である。具体的には、接合長さＬは、平角導線の断面視における長辺の長さＷ以上である。
【００２９】
また、図４〜図７および図１１に示すように、コイル３２０（３１０）の外径側リード線部３２４（３１４）の先端部３２４ａ（３１４ａ）の接合部３２４ａａ（３１４ａａ）は、スロット１３の根元部近傍において、コイル３２０（３１０）の外径側リード線部３２４（３１４）のスロット１３からの出口位置１３ａに対して、外径側にずれた位置に位置している。具体的には、コイル３２０（３１０）の外径側リード線部３２４（３１４）の先端部３２４ａ（３１４ａ）の接合部３２４ａａ（３１４ａａ）は、コイル３２０（３１０）の外径側リード線部３２４（３１４）のスロット１３からの出口位置１３ａに対して、概略平角導線１本分だけ外径側にずれた位置に位置している。コイル３２０（３１０）の外径側リード線部３２４（３１４）の接合部３２４ａａ（３１４ａａ）は、コイル３２０（３１０）の外径側リード線部３２４（３１４）の先端部３２４ａ（３１４ａ）が出口位置１３ａに対して外径側にずれた位置に位置するように、コイル３２０（３１０）の外径側リード線部３２４（３１４）を折り曲げる折り曲げ部３２４ｄ（３１４ｄ）を有している。折り曲げ部３２４ｄ（３１４ｄ）は、コイル３２０（３１０）の外径側リード線部３２４（３１４）の先端部３２４ａ（３１４ａ）の接合部３２４ａａ（３１４ａａ）が出口位置１３ａに対して、概略平角導線１本分だけ外径側にずれた位置に位置するように、内径側から外径側に折れ曲がる形状を有している。
【００３０】
［第２実施形態］
次に、図１３〜図１６を参照して、第２実施形態について説明する。この第２実施形態では、上記第１実施形態と異なり、互いに接合されるコイルの先端部同士が径方向に接合されている例について説明する。なお、上記第１実施形態と同一の構成については、図中において同じ符号を付して図示し、その説明を省略する。
【００３１】
本発明の第２実施形態によるステータ４００では、図１３〜図１６に示すように、周方向の一方側に延びるコイル５１０（５２０）の内径側リード線部５１３（５２３）の先端部５１３ｂ（５２３ｂ）の接合部５１３ｂａ（５２３ｂａ）と、周方向の他方側に延びるコイル５２０（５１０）の外径側リード線部５２４（５１４）の先端部５２４ａ（５１４ａ）の接合部５２４ａａ（５１４ａａ）とが、コイル５１０および５２０の外径側（スロット１３の根元部近傍）において、径方向に互いに接合されている。コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の接合部５２４ａａ（５１４ａａ）とは、回転軸線方向から見て、スロット１３の根元部よりも外径側で、かつ、ステータコア１０の最も外径側の部分よりも内径側に位置する。また、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の接合部５２４ａａ（５１４ａａ）とは、スロット１３の根元部よりも概略平角導線１本分だけ外径側において、互いに接合されている。また、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の接合部５２４ａａ（５１４ａａ）とは、ティース１２上（平面視においてティース１２と重なる位置）において、互いに接合されている。なお、コイル５１０および５２０は、請求の範囲の「第１コイル」および「第２コイル」の一例である。
【００３２】
また、コイル５１０（５２０）の内径側リード線部５１３（５２３）の全体、および、コイル５２０（５１０）の外径側リード線部５２４（５１４）の全体は、回転軸線方向から見て、スロット１３の根元部（スロット１３の最外径位置Ｐ１（太い一点鎖線により示す））から外径側に、コイル５１０（５２０）を構成する平角導線１本分だけずれた位置（平角導線１本分だけずれた最外径位置Ｐ２（太い一点鎖線により示す））よりも内径側に位置している。また、コイル５１０（５２０）の内径側リード線部５１３（５２３）とコイル５２０（５１０）の外径側リード線部５２４（５１４）との接合部分は、回転軸線方向から見て、コイル５１０（５２０）における最外径位置に位置している。つまり、コイル５１０（５２０）の全体は、回転軸線方向から見て、位置Ｐ２よりも内径側に位置している。
【００３３】
また、コイルエンドにおいてコイル５１０（５２０）の内径側リード線部５１３（５２３）の先端部５１３ｂ（５２３ｂ）が周方向の一方側（Ａ２方向側）を向き、コイルエンドにおいてコイル５２０（５１０）の外径側リード線部５２４（５１４）の先端部５２４ａ（５１４ａ）が周方向の他方側（Ａ１方向側）を向いた状態で、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の接合部５２４ａａ（５１４ａａ）とが径方向に互いに接合されている。コイル５１０（５２０）の内径側リード線部５１３（５２３）の先端部５１３ｂ（５２３ｂ）、および、コイル５２０（５１０）の外径側リード線部５２４（５１４）の先端部５２４ａ（５１４ａ）は、共に、周方向の接線方向を向いている。コイル５１０（５２０）の内径側リード線部５１３（５２３）の先端部５１３ｂ（５２３ｂ）が向く方向と、コイル５２０（５１０）の外径側リード線部５２４（５１４）の先端部５２４ａ（５１４ａ）が向く方向とは、互いに略平行である。
【００３４】
また、第２実施形態では、コイル５２０（５１０）の外径側リード線部５２４（５１４）の先端部５２４ａ（５１４ａ）が、コイル５１０（５２０）の内径側リード線部５１３（５２３）の先端部５１３ｂ（５２３ｂ）よりも、外径側に配置されるように、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の５２４ａａ（５１４ａａ）とが、径方向に互いに接合されている。なお、コイル５１０（５２０）の内径側リード線部５１３（５２３）の先端部５１３ｂ（５２３ｂ）と、コイル５２０（５１０）の外径側リード線部５２４（５１４）の先端部５２４ａ（５１４ａ）とが周方向に互いに向き合う方向を向き、かつ、径方向に互いに重なった状態で、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の５２４ａａ（５１４ａａ）とが径方向に互いに接合されている。
【００３５】
また、第２実施形態においても、図１６に示すように、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の５２４ａａ（５１４ａａ）とでは、平角導線の断面視における短辺側と、平角導線の断面視における長辺側とが、互いに接合されている。具体的には、コイル５１０（５２０）の内径側リード線部５１３（５２３）の先端部５１３ｂ（５２３ｂ）の接合部５１３ｂａ（５２３ｂａ）の平角導線の断面視における短辺側と、コイル５２０（５１０）の外径側リード線部５２４（５１４）の先端部５２４ａ（５１４ａ）の接合部５２４ａａ（５１４ａａ）の平角導線の断面視における長辺側とが、互いに接合されている。つまり、コイル５１０（５２０）の内径側リード線部５１３（５２３）の先端部５１３ｂ（５２３ｂ）と、コイル５２０（５１０）の外径側リード線部５２４（５１４）の先端部５２４ａ（５１４ａ）とが断面Ｔ字形状を有するように、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の５２４ａａ（５１４ａａ）とが互いに接合されている。また、コイル５１０（５２０）の内径側リード線部５１３（５２３）の先端部５１３ｂ（５２３ｂ）の接合部５１３ｂａ（５２３ｂａ）と、コイル５２０（５１０）の外径側リード線部５２４（５１４）の先端部５２４ａ（５１４ａ）の接合部５２４ａａ（５１４ａａ）との接合長さは、上記第１実施形態と同様に、平角導線の断面視における短辺の長さ以上である。具体的には、接合長さは、上記第１実施形態と同様に、平角導線の断面視における長辺の長さ以上である。
【００３６】
図１６に示すように、コイル５２０（５１０）の外径側リード線部５２４（５１４）の先端部５２４ａ（５１４ａ）の接合部５２４ａａ（５１４ａａ）は、スロット１３の根元部近傍において、コイル５２０（５１０）の外径側リード線部５２４（５１４）のスロット１３からの出口位置１３ａに対して、外径側にずれた位置に位置している。具体的には、コイル５２０（５１０）の外径側リード線部５２４（５１４）の先端部５２４ａ（５１４ａ）の接合部５２４ａａ（５１４ａａ）は、コイル５２０（５１０）の外径側リード線部５２４（５１４）のスロット１３からの出口位置１３ａに対して、概略平角導線１本分だけ外径側にずれた位置に位置している。コイル５２０（５１０）の外径側リード線部５２４（５１４）は、コイル５２０（５１０）の外径側リード線部５２４（５１４）の先端部５２４ａ（５１４ａ）の接合部５２４ａａ（５１４ａａ）が出口位置１３ａに対して外径側にずれた位置に位置するように、コイル５２０（５１０）の外径側リード線部５２４（５１４）を折り曲げる折り曲げ部５２４ｄ（５１４ｄ）を有している。折り曲げ部５２４ｄ（５１４ｄ）は、コイル５２０（５１０）の外径側リード線部５２４（５１４）の先端部５２４ａ（５１４ａ）の接合部５２４ａａ（５１４ａａ）が出口位置１３ａに対して、概略平角導線１本分だけ外径側にずれた位置に位置するように、内径側から外径側に折れ曲がる形状を有している。
【００３７】
［第３実施形態］
次に、図１７および図１８を参照して、第３実施形態について説明する。この第３実施形態では、上記第１および第２実施形態と異なり、内径側リード線部の先端部の近傍に折り曲げ部が設けられていない例について説明する。なお、上記第１および第２実施形態と同一の構成については、図中において同じ符号を付して図示し、その説明を省略する。
【００３８】
本発明の第３実施形態によるステータ６００では、図１７および図１８に示すように、周方向の一方側に延びるコイル７１０（７２０）の内径側リード線部７１３（７２３）の先端部７１３ｂ（７２３ｂ）の接合部７１３ｂａ（７２３ｂａ）と、周方向の他方側に延びるコイル７２０（７１０）の外径側リード線部７２４（７１４）の先端部７２４ａ（７１４ａ）の接合部７２４ａａ（７１４ａａ）とが、コイル７１０および７２０の外径側（スロット１３の根元部近傍）において、回転軸線方向に互いに接合されている。コイル７１０（７２０）の内径側リード線部７１３（７２３）の先端部７１３ｂ（７２３ｂ）の接合部７１３ｂａ（７２３ｂａ）と、コイル７２０（７１０）の外径側リード線部７２４（７１４）の先端部７２４ａ（７１４ａ）の接合部７２４ａａ（７１４ａａ）とは、回転軸線方向から見て、スロット１３の根元部よりも外径側で、かつ、ステータコア１０の最も外径側の部分よりも内径側に位置する。また、コイル７１０（７２０）の内径側リード線部７１３（７２３）の先端部７１３ｂ（７２３ｂ）の接合部７１３ｂａ（７２３ｂａ）と、コイル７２０（７１０）の外径側リード線部７２４（７１４）の先端部７２４ａ（７１４ａ）の接合部７２４ａａ（７１４ａａ）とは、スロット１３の根元部よりも概略平角導線１本分だけ外径側において、回転軸線方向に互いに接合されている。また、コイル７１０（７２０）の内径側リード線部７１３（７２３）の先端部７１３ｂ（７２３ｂ）の接合部７１３ｂａ（７２３ｂａ）と、コイル７２０（７１０）の外径側リード線部７２４（７１４）の先端部７２４ａ（７１４ａ）の接合部７２４ａａ（７１４ａａ）とは、ティース１２上（平面視においてティース１２と重なる位置）において、互いに接合されている。なお、コイル７１０および７２０は、請求の範囲の「第１コイル」および「第２コイル」の一例である。
【００３９】
また、コイル７１０（７２０）の内径側リード線部７１３（７２３）の全体、および、コイル７２０（７１０）の外径側リード線部７２４（７１４）の全体は、回転軸線方向から見て、スロット１３の根元部（スロット１３の最外径位置Ｐ１（太い一点鎖線により示す））から外径側に、コイル７１０（７２０）を構成する平角導線１本分だけずれた位置（平角導線１本分だけずれた最外径位置Ｐ２（太い一点鎖線により示す））よりも内径側に位置している。また、コイル７１０（７２０）の内径側リード線部７１３（７２３）とコイル７２０（７１０）の外径側リード線部７２４（７１４）との接合部分は、回転軸線方向から見て、コイル７１０（７２０）における最外径位置に位置している。つまり、コイル７１０（７２０）の全体は、回転軸線方向から見て、位置Ｐ２よりも内径側に位置している。
【００４０】
また、コイル７２０（７１０）の外径側リード線部７２４（７１４）の先端部７２４ａ（７１４ａ）の７２４ａａ（７１４ａａ）は、コイル７１０（７２０）の内径側リード線部７１３（７２３）の先端部７１３ｂ（７２３ｂ）よりも回転軸線方向の端面側に配置されている。また、コイル７２０（７１０）の外径側リード線部７２４（７１４）の先端部７２４ａ（７１４ａ）と、コイル７１０（７２０）の内径側リード線部７１３（７２３）の先端部７１３ｂ（７２３ｂ）とは、回転軸線方向に互いに重なる位置に配置されている。また、コイル７１０（７２０）の内径側リード線部７１３（７２３）の先端部７１３ｂ（７２３ｂ）の接合部７１３ｂａ（７２３ｂａ）と、コイル７２０（７１０）の外径側リード線部７２４（７１４）の先端部７２４ａ（７１４ａ）の接合部７２４ａａ（７１４ａａ）とでは、平角導線の断面視における短辺側と、平角導線の断面視における長辺側とが、互いに接合されている。
【００４１】
また、コイルエンドにおいてコイル７１０（７２０）の内径側リード線部７１３（７２３）の先端部７１３ｂ（７２３ｂ）が周方向の一方側（Ａ２方向側）を向き、コイルエンドにおいてコイル７２０（７１０）の外径側リード線部７２４（７１４）の先端部７２４ａ（７１４ａ）が周方向の他方側（Ａ１方向側）を向いた状態で、コイル７１０（７２０）の内径側リード線部７１３（７２３）の先端部７１３ｂ（７２３ｂ）の接合部７１３ｂａ（７２３ｂａ）と、コイル７２０（７１０）の外径側リード線部７２４（７１４）の先端部７２４ａ（７１４ａ）の接合部７２４ａａ（７１４ａａ）とが回転軸線方向に互いに接合されている。
【００４２】
第３実施形態では、コイル７１０（７２０）の内径側リード線部７１３（７２３）の先端部７１３ｂ（７２３ｂ）は、周方向の接線方向と交差する方向を向いている。具体的には、コイル７１０（７２０）の内径側リード線部７１３（７２３）の先端部７１３ｂ（７２３ｂ）は、周方向（Ａ２方向）の接線方向に対して略４５度未満の角度αだけ傾斜する方向を向いている。また、コイル７２０（７１０）の外径側リード線部７２４（７１４）の先端部７２４ａ（７１４ａ）は、周方向の接線方向を向いている。コイル７１０（７２０）の内径側リード線部７１３（７２３）の先端部７１３ｂ（７２３ｂ）が向く方向と、コイル７２０（７１０）の外径側リード線部７２４（７１４）の先端部７２４ａ（７１４ａ）が向く方向とは、互いに交差している。
【００４３】
また、コイル７１０（７２０）の内径側リード線部７１３（７２３）の先端部７１３ｂ（７２３ｂ）は、平面視において（回転軸線方向から見て）、コイル７２０（７１０）の外径側リード線部７２４（７１４）の先端部７２４ａ（７１４ａ）よりも外径側にはみ出すはみ出し部７１３ｄ（７２３ｄ）を有している。コイル７１０（７２０）の内径側リード線部７１３（７２３）のはみ出し部７１３ｄ（７２３ｄ）は、コイル７２０（７１０）の外径側リード線部７２４（７１４）の先端部７２４ａ（７１４ａ）よりも外径側にわずかに（１ｍｍ以下）はみ出している。コイル７１０（７２０）の内径側リード線部７１３（７２３）のはみ出し部７１３ｄ（７２３ｄ）は、コイル７１０（７２０）の内径側リード線部７１３（７２３）の先端部７１３ｂ（７２３ｂ）が延びる方向にはみ出している。コイル７１０（７２０）の内径側リード線部７１３（７２３）のはみ出し部７１３ｄ（７２３ｄ）のはみ出し量は、コイル７２０（７１０）の外径側リード線部７２４（７１４）の先端部７２４ａ（７１４ａ）の製造時における径方向の移動量（設計位置からのずれ量）に基づいて決定されている。はみ出し部７１３ｄ（７２３ｄ）を設けることにより、製造時に外径側リード線部７２４（７１４）の先端部７２４ａ（７１４ａ）が設計位置からずれたとしても、先端部同士の接合面積を確実に確保可能である。
【００４４】
また、コイル７２０（７１０）の外径側リード線部７２４（７１４）の先端部７２４ａ（７１４ａ）は、平面視において（回転軸線方向から見て）、コイル７１０（７２０）の内径側リード線部７１３（７２３）の先端部７１３ｂ（７２３ｂ）よりも周方向の他方側（Ａ１方向側）にはみ出すはみ出し部７２４ｃ（７１４ｃ）を有している。コイル７２０（７１０）の外径側リード線部７２４（７１４）のはみ出し部７２４ｃ（７１４ｃ）は、コイル７１０（７２０）の内径側リード線部７１３（７２３）の先端部７１３ｂ（７２３ｂ）よりも周方向の他方側にわずかに（１ｍｍ以下）はみ出している。コイル７２０（７１０）の外径側リード線部７２４（７１４）のはみ出し部７２４ｃ（７１４ｃ）は、コイル７２０（７１０）の外径側リード線部７２４（７１４）の先端部７２４ａ（７１４ａ）が延びる方向にはみ出している。コイル７２０（７１０）の外径側リード線部７２４（７１４）のはみ出し部７２４ｃ（７１４ｃ）のはみ出し量は、コイル７１０（７２０）の内径側リード線部７１３（７２３）の先端部７１３ｂ（７２３ｂ）の製造時における周方向の移動量（設計位置からのずれ量）に基づいて決定されている。はみ出し部７２４ｃ（７１４ｃ）を設けることにより、製造時に内径側リード線部７１３（７２３）の先端部７１３ｂ（７２３ｂ）が設計位置からずれたとしても、先端部同士の接合面積を確実に確保可能である。
【００４５】
ここで、第３実施形態では、コイル７１０（７２０）の内径側リード線部７１３（７２３）の直線部７１３ａ（７２３ａ）は、内径側から外径側に向かって、かつ周方向の一方側に先端部７１３ｂ（７２３ｂ）まで直線状に延びるように形成されている。つまり、第３実施形態では、コイル７１０（７２０）の内径側リード線部７１３（７２３）には、上記第１実施形態の折り曲げ部３１３ｃ（３２３ｃ）が形成されておらず、直線部７１３ａ（７２３ａ）が先端部７１３ｂ（７２３ｂ）まで形成されている。
【００４６】
また、第３実施形態では、コイル７１０（７２０）の内径側リード線部７１３（７２３）の直線部７１３ａ（７２３ａ）の先端部７１３ｂ（７２３ｂ）の外径側には、面取り部７１３ｅ（７２３ｅ）が形成されている。コイル７１０（７２０）の内径側リード線部７１３（７２３）の面取り部７１３ｅ（７２３ｅ）は、コイル７１０（７２０）の内径側リード線部７１３（７２３）の先端部７１３ｂ（７２３ｂ）の外径側の隅部を面取りすることにより形成されている。コイル７１０（７２０）の内径側リード線部７１３（７２３）の面取り部７１３ｅ（７２３ｅ）は、コイル７１０（７２０）の内径側リード線部７１３（７２３）のはみ出し部７１３ｄ（７２３ｄ）に形成されている。コイル７１０（７２０）の内径側リード線部７１３（７２３）の面取り部７１３ｅ（７２３ｅ）は、コイル７１０（７２０）の内径側リード線部７１３（７２３）のはみ出し部７１３ｄ（７２３ｄ）の一部を面取りすることにより形成されている。
【００４７】
また、第３実施形態では、コイル７２０（７１０）の外径側リード線部７２４（７１４）の先端部７２４ａ（７１４ａ）の接合部７２４ａａ（７１４ａａ）は、スロット１３の根元部近傍において、コイル７２０（７１０）の外径側リード線部７２４（７１４）のスロット１３からの出口位置１３ａに対して、外径側にずれた位置に位置している。具体的には、コイル７２０（７１０）の外径側リード線部７２４（７１４）の先端部７２４ａ（７１４ａ）の接合部７２４ａａ（７１４ａａ）は、コイル７２０（７１０）の外径側リード線部７２４（７１４）のスロット１３からの出口位置１３ａに対して、概略平角導線１本分だけ外径側にずれた位置に位置している。コイル７２０（７１０）の外径側リード線部７２４（７１４）は、コイル７２０（７１０）の外径側リード線部７２４（７１４）の先端部７２４ａ（７１４ａ）の接合部７２４ａａ（７１４ａａ）が出口位置１３ａに対して外径側にずれた位置に位置するように、コイル７２０（７１０）の外径側リード線部７２４（７１４）を折り曲げる折り曲げ部７２４ｄ（７１４ｄ）を有している。折り曲げ部７２４ｄ（７１４ｄ）は、コイル７２０（７１０）の外径側リード線部７２４（７１４）の先端部７２４ａ（７１４ａ）の接合部７２４ａａ（７１４ａａ）が出口位置１３ａに対して、概略平角導線１本分だけ外径側にずれた位置に位置するように、内径側から外径側に折れ曲がる形状を有している。
【００４８】
［第４実施形態］
次に、図１９を参照して、第４実施形態について説明する。この第４実施形態では、内径側リード線部の先端部の近傍に折り曲げ部が設けられておらず、かつ、互いに接合されるコイルの先端部同士が径方向に接合されている例について説明する。なお、上記第１〜第３実施形態と同一の構成については、図中において同じ符号を付して図示し、その説明を省略する。
【００４９】
本発明の第４実施形態によるステータ８００では、図１９に示すように、周方向の一方側に延びるコイル９１０（９２０）の内径側リード線部９１３（９２３）の先端部９１３ｂ（９２３ｂ）の接合部９１３ｂａ（９２３ｂａ）と、周方向の他方側に延びるコイル９２０（９１０）の外径側リード線部９２４（９１４）の先端部９２４ａ（９１４ａ）の接合部９２４ａａ（９１４ａａ）とが、コイル９１０および９２０の外径側（スロット１３の根元部近傍）において、径方向に互いに接合されている。コイル９１０（９２０）の内径側リード線部９１３（９２３）の先端部９１３ｂ（９２３ｂ）の接合部９１３ｂａ（９２３ｂａ）と、コイル９２０（９１０）の外径側リード線部９２４（９１４）の先端部９２４ａ（９１４ａ）の接合部９２４ａａ（９１４ａａ）とは、回転軸線方向から見て、スロット１３の根元部よりも外径側で、かつ、ステータコア１０の最も外径側の部分よりも内径側に位置する。また、コイル９１０（９２０）の内径側リード線部９１３（９２３）の先端部９１３ｂ（９２３ｂ）の接合部９１３ｂａ（９２３ｂａ）と、コイル９２０（９１０）の外径側リード線部９２４（９１４）の先端部９２４ａ（９１４ａ）の接合部９２４ａａ（９１４ａａ）とは、スロット１３の根元部よりも概略平角導線１本分だけ外径側において、径方向に互いに接合されている。また、コイル９１０（９２０）の内径側リード線部９１３（９２３）の先端部９１３ｂ（９２３ｂ）の接合部９１３ｂａ（９２３ｂａ）と、コイル９２０（９１０）の外径側リード線部９２４（９１４）の先端部９２４ａ（９１４ａ）の接合部９２４ａａ（９１４ａａ）とは、ティース１２上（平面視においてティース１２と重なる位置）において、互いに接合されている。なお、コイル９１０および９２０は、請求の範囲の「第１コイル」および「第２コイル」の一例である。
【００５０】
また、コイル９２０（９１０）の外径側リード線部９２４（９１４）の先端部９２４ａ（９１４ａ）は、コイル９１０（９２０）の内径側リード線部９１３（９２３）の先端部９１３ｂ（９２３ｂ）よりも外径側に配置されている。また、コイル９２０（９１０）の外径側リード線部９２４（９１４）の先端部９２４ａ（９１４ａ）と、コイル９１０（９２０）の内径側リード線部９１３（９２３）の先端部９１３ｂ（９２３ｂ）とは、径方向に互いに重なる位置に配置されている。また、コイル９１０（９２０）の内径側リード線部９１３（９２３）の先端部９１３ｂ（９２３ｂ）の接合部９１３ｂａ（９２３ｂａ）と、コイル９２０（９１０）の外径側リード線部９２４（９１４）の先端部９２４ａ（９１４ａ）の接合部９２４ａａ（９１４ａａ）とでは、平角導線の断面視における短辺側と、平角導線の断面視における長辺側とが、互いに接合されている。
【００５１】
また、コイルエンドにおいてコイル９１０（９２０）の内径側リード線部９１３（９２３）の先端部９１３ｂ（９２３ｂ）が周方向の一方側（Ａ２方向側）を向き、コイルエンドにおいてコイル９２０（９１０）の外径側リード線部９２４（９１４）の先端部９２４ａ（９１４ａ）が周方向の他方側（Ａ１方向側）を向いた状態で、コイル９１０（９２０）の内径側リード線部９１３（９２３）の先端部９１３ｂ（９２３ｂ）の接合部９１３ｂａ（９２３ｂａ）と、コイル９２０（９１０）の外径側リード線部９２４（９１４）の先端部９２４ａ（９１４ａ）の接合部９２４ａａ（９１４ａａ）とが径方向に互いに接合されている。
【００５２】
第４実施形態では、コイル９１０（９２０）の内径側リード線部９１３（９２３）の先端部９１３ｂ（９２３ｂ）は、周方向の接線方向と交差する方向を向いている。具体的には、コイル９１０（９２０）の内径側リード線部９１３（９２３）の先端部９１３ｂ（９２３ｂ）は、周方向（Ａ２方向）の接線方向に対して略４５度未満の角度βだけ傾斜する方向を向いている。また、コイル９２０（９１０）の外径側リード線部９２４（９１４）の先端部９２４ａ（９１４ａ）は、周方向の接線方向を向いている。コイル９１０（９２０）の内径側リード線部９１３（９２３）の先端部９１３ｂ（９２３ｂ）が向く方向と、コイル９２０（９１０）の外径側リード線部９２４（９１４）の先端部９２４ａ（９１４ａ）が向く方向とは、互いに交差している。
【００５３】
ここで、第４実施形態では、コイル９１０（９２０）の内径側リード線部９１３（９２３）の直線部９１３ａ（９２３ａ）は、内径側から外径側に向かって、かつ周方向の一方側に先端部９１３ｂ（９２３ｂ）まで直線状に延びるように形成されている。つまり、第４実施形態においても、コイル９１０（９２０）の内径側リード線部９１３（９２３）には、上記第１実施形態の折り曲げ部３１３ｃ（３２３ｃ）が形成されておらず、直線部９１３ａ（９２３ａ）が先端部９１３ｂ（９２３ｂ）まで形成されている。
【００５４】
（第１〜第４実施形態の効果）
第１〜第４実施形態では、以下のような効果を得ることができる。
【００５５】
第１〜第４実施形態では、上記のように、周方向の一方側に延びる第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、周方向の他方側に延びる第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）とを互いに接合する。これにより、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）との接合部分が周方向に延びるので、接合部分が外径側に延びる場合に比べて、ステータコア（１０）の外径側の部分（バックヨーク（１１））の回転軸線方向外側領域に延びることを防止することができる。その結果、ステータコア（１０）の外径側の部分の回転軸線方向外側をコンパクトにすることができる。
【００５６】
また、接合部分が外径側に延びる場合、ステータコア（１０）の外径側の部分の回転軸線方向外側のスペースに、構造物（たとえば、コイル冷却用の構造物）が配置しにくくなり、そのスペースを活用しにくい。これに対して、本実施形態では、上記のように、ステータコア（１０）の外径側の部分の回転軸線方向外側をコンパクトにすることができるので、ステータコア（１０）の外径側の部分の回転軸線方向外側にスペースを確保することができる。そして、スペースを確保した分だけ、ステータコア（１０）の外径側の部分の回転軸線方向外側のスペースに、コイル冷却用の構造物などの構造物を配置しやすくすることができるので、ステータコア（１０）の外径側の部分の回転軸線方向外側のスペースを有効に活用しやすくすることができる。また、スペースを確保した分だけ、構造物をステータコア（１０）の外径側の部分の回転軸線方向外側のスペースに配置する場合にも、第１コイル（３０、３１０、３２０、５１０、５２０、７１０、７２０、９１０、９２０）および第２コイル（３０、３１０、３２０、５１０、５２０、７１０、７２０、９１０、９２０）と構造物との絶縁距離を容易に確保することができる。
【００５７】
また、周方向の一方側に延びる第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、周方向の他方側に延びる第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）と互いに接合することにより、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）とを互いに近づく方向に延ばして、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）とを接合することができる。その結果、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）とを、周方向に互いに同じ方向を向いた状態で、互いに接合する場合に比べて、第１コイル（３０、３１０、３２０、５１０、５２０、７１０、７２０、９１０、９２０）のリード線部（３１３、３２３、５１３、５２３、７１３、７２３、９１３、９２３）の長さと、第２コイル（３０、３１０、３２０、５１０、５２０、７１０、７２０、９１０、９２０）のリード線部（３１４、３２４、５１４、５２４、７１４、７２４、９１４、９２４）の長さとを共に短くすることができる。
【００５８】
また、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）とが、互いに同じ方向を向いた状態で互いに接合される場合、接合部分が片持ち状に形成されるため、外的な振動やコイルに電流が流れることにより生じる電磁振動に起因して、変形が生じやすい。これに対して、第１〜第４実施形態では、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）とを周方向に互いに向き合う方向を向いた状態で互いに接合することにより、接合部分が両持ち状に形成されるので、外的な振動やコイルに電流が流れることにより生じる電磁振動に起因して、変形が生じる現象を低減することができる。
【００５９】
また、第１〜第４実施形態では、上記のように、第１コイル（３０、３１０、３２０、５１０、５２０、７１０、７２０、９１０、９２０）のリード線部（３１３、３２３、５１３、５２３、７１３、７２３、９１３、９２３）は、スロット（１３）の内径側において回転軸線方向に延びた後、内径側から外径側に向かってかつ周方向の一方側に延びるように形成されており、第２コイル（３０、３１０、３２０、５１０、５２０、７１０、７２０、９１０、９２０）のリード線部（３１４、３２４、５１４、５２４、７１４、７２４、９１４、９２４）は、スロット（１３）の外径側において回転軸線方向に延びた後、コイルエンド部（３１２、３２２）の近傍で周方向の他方側に延びるように形成されている。このように構成すれば、接合部を含む先端部よりも前の部分が周方向に延びており、そのまま周方向に接続されているため、コイルエンドに回転軸線方向に突出する部分から接合部までの部分において、コイルを折り返すような部分が過度に発生せず、ステータコア（１０）の外径側の部分の回転軸線方向外側をコンパクトにしながら、ステータ（１００、４００、６００、８００）をコンパクトにすることができる。
【００６０】
また、第１および第３実施形態では、上記のように、第２コイル（３０、３１０、３２０、７１０、７２０）のリード線部（３１４、３２４、７１４、７２４）は、スロット（１３）の外径側において回転軸線方向に延びた後、コイルエンド部（３１２、３２２）よりも回転軸線方向に低い位置で周方向の他方側に延びるように形成されている。このように構成すれば、第２コイル（３０、３１０、３２０、７１０、７２０）のリード線部（３１４、３２４、７１４、７２４）に起因して、ステータ（１００、６００）が回転軸線方向に大型化すること抑制することができる。
【００６１】
また、第１〜第３実施形態では、上記のように、第１コイル（３０、３１０、３２０、５１０、５２０、７１０、７２０）のリード線部（３１３、３２３、５１３、５２３、７１３、７２３）の全体、および、第２コイル（３０、３１０、３２０、５１０、５２０、７１０、７２０）のリード線部（３１４、３２４、５１４、５２４、７１４、７２４）の全体は、回転軸線方向から見て、スロットの根元部から外径側に、第１コイル（３０、３１０、３２０、５１０、５２０、７１０、７２０）かまたは第２コイル（３０、３１０、３２０、５１０、５２０、７１０、７２０）を構成する導線１本分だけずれた位置よりも内径側に位置する。このように構成すれば、ステータコア（１０）の外径側の部分（バックヨーク（１１））の回転軸線方向外側領域に延びることをより確実に防止することができるので、ステータコア（１０）の外径側の部分の回転軸線方向外側をより確実にコンパクトにすることができる。
【００６２】
また、第１〜第４実施形態では、上記のように、第１コイル（３０、３１０、３２０、５１０、５２０、７１０、７２０、９１０、９２０）および第２コイル（３０、３１０、３２０、５１０、５２０、７１０、７２０、９１０、９２０）は、共に、内径側から外径側に延びる内径側リード線部（３１３、３２３、５１３、５２３、７１３、７２３、９１３、９２３）と、外径側に配置される外径側リード線部（３１４、３２４、５１４、５２４、７１４、７２４、９１４、９２４）と、を有し、第１コイル（３０、３１０、３２０、５１０、５２０、７１０、７２０、９１０、９２０）の内径側リード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、第２コイル（３０、３１０、３２０、５１０、５２０、７１０、７２０、９１０、９２０）の外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）とが、互いに接合されている。このように構成すれば、第１コイル（３０、３１０、３２０、５１０、５２０、７１０、７２０、９１０、９２０）の内径側リード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）の外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）との接合部分を、ステータコア（１０）の外径側の部分の回転軸線方向外側領域に延びることを防止して、ステータコア（１０）の外径側の部分の回転軸線方向外側にスペースを確保することができる。
【００６３】
また、第１〜第４実施形態では、上記のように、内径側リード線部（３１３、３２３、５１３、５２３、７１３、７２３、９１３、９２３）は、内径側から外径側に向かって、かつ周方向の一方側に延びるように形成されており、第１コイル（３０、３１０、３２０、５１０、５２０、７１０、７２０、９１０、９２０）の内径側リード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）が周方向の一方側を向き、第２コイル（３０、３１０、３２０、５１０、５２０、７１０、７２０、９１０、９２０）の外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）が周方向の他方側を向いた状態で、第１コイル（３０、３１０、３２０、５１０、５２０、７１０、７２０、９１０、９２０）の内径側リード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、第２コイル（３０、３１０、３２０、５１０、５２０、７１０、７２０、９１０、９２０）の外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）とが互いに接合されている。このように構成すれば、周方向の一方側に延びる第１コイル（３０、３１０、３２０、５１０、５２０、７１０、７２０、９１０、９２０）の内径側リード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）を、同じ側（周方向の一方側）に延ばすだけで良く、周方向の一方側に延びる第１コイル（３０、３１０、３２０、５１０、５２０、７１０、７２０、９１０、９２０）の内径側リード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）が周方向の他方側を向く場合に比べて、第１コイル（３０、３１０、３２０、５１０、５２０、７１０、７２０、９１０、９２０）の内径側リード線部（３１３、３２３、５１３、５２３、７１３、７２３、９１３、９２３）の形状が複雑化することを防止することができる。
【００６４】
また、第１および第２実施形態では、上記のように、内径側リード線部（３１３、３２３、５１３、５２３）は、内径側から外径側に向かって、かつ周方向の一方側に延びるように形成された直線部（３１３ａ、３２３ａ）と、直線部（３１３ａ、３２３ａ）から連続するように設けられ、内径側リード線部（３１３、３２３、５１３、５２３）の先端部（３１３ｂ、３２３ｂ、５１３ｂ、５２３ｂ）を、周方向に沿う方向を向くように折り曲げる折り曲げ部（３１３ｃ、３２３ｃ）と、を有する。このように構成すれば、内径側リード線部（３１３、３２３、５１３、５２３）の先端部（３１３ｂ、３２３ｂ、５１３ｂ、５２３ｂ）を周方向に沿う方向を向くように折り曲げ部（３１３ｃ、３２３ｃ）により折り曲げることにより、第１コイル（３０、３１０、３２０、５１０、５２０）の内径側リード線部（３１３、３２３、５１３、５２３）の先端部（３１３ｂ、３２３ｂ、５１３ｂ、５２３ｂ）と、第２コイル（３０、３１０、３２０、５１０、５２０）の外径側リード線部（３１４、３２４、５１４、５２４）の先端部（３１４ａ、３２４ａ、５１４ａ、５２４ａ）との接合部分が、ステータコア（１０）の外径側の部分の回転軸線方向外側領域に延びることをより防止することができる。
【００６５】
また、第３および第４実施形態では、上記のように、内径側リード線部（７１３、７２３、９１３、９２３）は、内径側から外径側に向かって、かつ周方向の一方側に先端部（７１３ｂ、７２３ｂ、９１３ｂ、９２３ｂ）まで直線状に延びるように形成された直線部（７１３ａ、７２３ａ、９１３ａ、９２３ａ）を有する。このように構成すれば、内径側リード線部（７１３、７２３、９１３、９２３）を簡素な形状にすることができるので、その分、内径側リード線部（７１３、７２３、９１３、９２３）の加工に要する時間を短縮することができる。その結果、ステータ（６００、８００）の生産性を向上させることができる。
【００６６】
また、第３実施形態では、上記のように、内径側リード線部（７１３、７２３）の直線部（７１３ａ、７２３ａ）の先端部（７１３ｂ、７２３ｂ）の外径側には、面取り部（７１３ｅ、７２３ｅ）が形成されている。このように構成すれば、内径側リード線部（７１３、７２３）の先端部（７１３ｂ、７２３ｂ）まで直線部（７１３ａ、７２３ａ）が形成されている場合にも、面取り部（７１３ｅ、７２３ｅ）により、第１コイル（７１０、７２０）の内径側リード線部（７１３、７２３）の先端部（７１３ｂ、７２３ｂ）と、第２コイル（７１０、７２０）の外径側リード線部（７１４、７２４）の先端部（７１４ａ、７２４ａ）との接合部分が、ステータコア（１０）の外径側の部分の回転軸線方向外側領域に延びることを防止することができる。
【００６７】
また、第１および第３実施形態では、上記のように、第１コイル（３０、３１０、３２０、７１０、７２０）の内径側リード線部（３１３、３２３、７１３、７２３）の先端部（３１３ｂ、３２３ｂ、７１３ｂ、７２３ｂ）の接合部（３１３ｂａ、３２３ｂａ、７１３ｂａ、７２３ｂａ）と、第２コイル（３０、３１０、３２０、７１０、７２０）の外径側リード線部（３１４、３２４、７１４、７２４）の先端部（３１４ａ、３２４ａ、７１４ａ、７２４ａ）の接合部（３１４ａａ、３２４ａａ、７１４ａａ、７２４ａａ）とが、回転軸線方向に互いに接合されている。このように構成すれば、単に先端部同士を突き合わせて接合する場合に比べて、大きい接合面積を確保することができる。また、回転軸線方向から見た先端部同士の重なり量を調整するだけで、接合面積を容易に調整することができる。
【００６８】
また、第１および第３実施形態では、上記のように、第２コイル（３０、３１０、３２０、７１０、７２０）の外径側リード線部（３１４、３２４、７１４、７２４）の先端部（３１４ａ、３２４ａ、７１４ａ、７２４ａ）が、第１コイル（３０、３１０、３２０、７１０、７２０）の内径側リード線部（３１３、３２３、７１３、７２３）の先端部（３１３ｂ、３２３ｂ、７１３ｂ、７２３ｂ）よりも、ステータコア（１０）の回転軸線方向の端面側に配置されるように、第１コイル（３０、３１０、３２０、７１０、７２０）の内径側リード線部（３１３、３２３、７１３、７２３）の先端部（３１３ｂ、３２３ｂ、７１３ｂ、７２３ｂ）の接合部（３１３ｂａ、３２３ｂａ、７１３ｂａ、７２３ｂａ）と、第２コイル（３０、３１０、３２０、７１０、７２０）の外径側リード線部（３１４、３２４、７１４、７２４）の先端部（３１４ａ、３２４ａ、７１４ａ、７２４ａ）の接合部（３１４ａａ、３２４ａａ、７１４ａａ、７２４ａａ）とが、回転軸線方向に互いに接合されている。このように構成すれば、第１コイル（３０、３１０、３２０、７１０、７２０）の内径側リード線部（３１３、３２３、７１３、７２３）の先端部（３１３ｂ、３２３ｂ、７１３ｂ、７２３ｂ）が、第２コイル（３０、３１０、３２０、７１０、７２０）の外径側リード線部（３１４、３２４、７１４、７２４）の先端部（３１４ａ、３２４ａ、７１４ａ、７２４ａ）よりも、ステータコア（１０）の回転軸線方向の端面側に配置される場合に比べて、第１コイル（３０、３１０、３２０、７１０、７２０）の内径側リード線部（３１３、３２３、７１３、７２３）と第２コイル（３０、３１０、３２０、７１０、７２０）の外径側リード線部（３１４、３２４、７１４、７２４）との形状が複雑化することを防止しつつ、先端部同士を回転軸線方向に互いに接合することができる。
【００６９】
また、第２および第４実施形態では、上記のように、第１コイル（３０、５１０、５２０、９１０、９２０）の内径側リード線部（５１３、５２３、９１３、９２３）の先端部（５１３ｂ、５２３ｂ、９１３ｂ、９２３ｂ）の接合部（５１３ｂａ、５２３ｂａ、９１３ｂａ、９２３ｂａ）と、第２コイル（３０、５１０、５２０、９１０、９２０）の外径側リード線部（５１４、５２４、９１４、９２４）の先端部（５１４ａ、５２４ａ、９１４ａ、９２４ａ）の接合部（５１４ａａ、５２４ａａ、９１４ａａ、９２４ａａ）とが、径方向に互いに接合されている。このように構成すれば、単に先端部同士を突き合わせて接合する場合に比べて、大きい接合面積を確保することができる。また、径方向から見た先端部同士の重なり量を調整するだけで、接合面積を容易に調整することができる。また、たとえばレーザ溶接などにより回転軸線方向から先端部同士を接合することができるので、接合作業を容易に行うことができる。
【００７０】
また、第２および第４実施形態では、上記のように、第２コイル（３０、５１０、５２０、９１０、９２０）の外径側リード線部（５１４、５２４、９１４、９２４）の先端部（５１４ａ、５２４ａ、９１４ａ、９２４ａ）が、第１コイル（３０、５１０、５２０、９１０、９２０）の内径側リード線部（５１３、５２３、９１３、９２３）の先端部（５１３ｂ、５２３ｂ、９１３ｂ、９２３ｂ）よりも、外径側に配置されるように、第１コイル（３０、５１０、５２０、９１０、９２０）の内径側リード線部（５１３、５２３、９１３、９２３）の先端部（５１３ｂ、５２３ｂ、９１３ｂ、９２３ｂ）の接合部（５１３ｂａ、５２３ｂａ、９１３ｂａ、９２３ｂａ）と、第２コイル（３０、５１０、５２０、９１０、９２０）の外径側リード線部（５１４、５２４、９１４、９２４）の先端部（５１４ａ、５２４ａ、９１４ａ、９２４ａ）の接合部（５１４ａａ、５２４ａａ、９１４ａａ、９２４ａａ）とが、径方向に互いに接合されている。このように構成すれば、第１コイル（３０、５１０、５２０、９１０、９２０）の内径側リード線部（５１３、５２３、９１３、９２３）の先端部（５１３ｂ、５２３ｂ、９１３ｂ、９２３ｂ）が、第２コイル（３０、５１０、５２０、９１０、９２０）の外径側リード線部（５１４、５２４、９１４、９２４）の先端部（５１４ａ、５２４ａ、９１４ａ、９２４ａ）よりも、内径側に配置される場合に比べて、第１コイル（３０、５１０、５２０、９１０、９２０）の内径側リード線部（５１３、５２３、９１３、９２３）と第２コイル（３０、５１０、５２０、９１０、９２０）の外径側リード線部（５１４、５２４、９１４、９２４）との形状が複雑化することを防止しつつ、先端部同士を径方向に互いに接合することができる。
【００７１】
また、第１〜第４実施形態では、上記のように、外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）は、スロット（１３）の根元部近傍において、外径側リード線部（３１４、３２４、５１４、５２４、７１４、７２４、９１４、９２４）のスロット（１３）からの出口位置（１３ａ）に対して、外径側にずれた位置に位置する。ここで、外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）が出口位置（１３ａ）と径方向に同じ位置に位置する場合、外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）のの接合部（３１４ａａ、３２４ａａ、５１４ａａ、５２４ａａ、７１４ａａ、７２４ａａ、９１４ａａ、９２４ａａ）下側（回転軸線方向の内側）に、他のコイル（３０、３１０、３２０、５１０、５２０、７１０、７２０、９１０、９２０）が配置されている場合がある。他のコイル（３０、３１０、３２０、５１０、５２０、７１０、７２０、９１０、９２０）が配置されている場合、外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）の下側（回転軸線方向の内側）に、接合作業用の治具などを配置することが困難になる場合がある。そこで、上記のように構成すれば、外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）を、他のコイル（３０、３１０、３２０、５１０、５２０、７１０、７２０、９１０、９２０）が配置された位置から離すことができるので、外径側リード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）の下側（回転軸線方向の内側）に、接合作業用の治具などを配置するスペースを確保することができる。その結果、先端部同士の接合作業を容易かつ円滑に行うことができる。
【００７２】
また、第１および第２実施形態では、上記のように、第１コイル（３０、３１０、３２０、５１０、５２０）および第２コイル（３０、３１０、３２０、５１０、５２０）は、平角導線が巻回されてなり、第１コイル（３０、３１０、３２０、５１０、５２０）のリード線部（３１３、３２３、５１３、５２３）の先端部（３１３ｂ、３２３ｂ、５１３ｂ、５２３ｂ）の接合部（３１３ｂａ、３２３ｂａ、５１３ｂａ、５２３ｂａ）と、第２コイル（３０、３１０、３２０、５１０、５２０）のリード線部（３１４、３２４、５１４、５２４）の先端部（３１４ａ、３２４ａ、５１４ａ、５２４ａ）の接合部（３１４ａａ、３２４ａａ、５１４ａａ、５２４ａａ）との接合長さ（Ｌ）は、平角導線の断面視における長辺の長さ（Ｗ）以上である。このように構成すれば、第１コイル（３０、３１０、３２０、５１０、５２０）のリード線部（３１３、３２３、５１３、５２３）の先端部（３１３ｂ、３２３ｂ、５１３ｂ、５２３ｂ）と、第２コイル（３０、３１０、３２０、５１０、５２０）のリード線部（３１４、３２４、５１４、５２４）の先端部（３１４ａ、３２４ａ、５１４ａ、５２４ａ）との接合長さ（Ｌ）を十分に確保することができる。
【００７３】
また、第１〜第４実施形態では、上記のように、第１コイル（３０、３１０、３２０、５１０、５２０、７１０、７２０、９１０、９２０）および第２コイル（３０、３１０、３２０、５１０、５２０、７１０、７２０、９１０、９２０）は、平角導線が巻回されてなり、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）とでは、平角導線の断面視における短辺側と、平角導線の断面視における長辺側とが、互いに接合されている。このように構成すれば、第１コイル（３０、３１０、３２０、５１０、５２０、７１０、７２０、９１０、９２０）のリード線部（３１３、３２３、５１３、５２３、７１３、７２３、９１３、９２３）と第２コイル（３０、３１０、３２０、５１０、５２０、７１０、７２０、９１０、９２０）のリード線部（３１４、３２４、５１４、５２４、７１４、７２４、９１４、９２４）とに不必要に曲げ加工を行うことなく、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）とを接合することができるので、第１コイル（３０、３１０、３２０、５１０、５２０、７１０、７２０、９１０、９２０）のリード線部（３１３、３２３、５１３、５２３、７１３、７２３、９１３、９２３）と第２コイル（３０、３１０、３２０、５１０、５２０、７１０、７２０、９１０、９２０）のリード線部（３１４、３２４、５１４、５２４、７１４、７２４、９１４、９２４）との形状が複雑化することを防止することができる。
【００７４】
また、第１〜第４実施形態では、上記のように、第１コイル（３０、３１０、３２０、５１０、５２０、７１０、７２０、９１０、９２０）と第２コイル（３０、３１０、３２０、５１０、５２０、７１０、７２０、９１０、９２０）との外径側において、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）とが、互いに接合されている。このように構成すれば、ステータコア（１０）の外径側の部分の回転軸線方向外側において、スペースを確実に確保することができる。
【００７５】
また、第１〜第４実施形態では、上記のように、スロット（１３）の根元部近傍において、第１コイル（３０、３１０、３２０、５１０、５２０、７１０、７２０、９１０、９２０）のリード線部（３１３、３２３、５１３、５２３、７１３、７２３、９１３、９２３）の先端部（３１３ｂ、３２３ｂ、５１３ｂ、５２３ｂ、７１３ｂ、７２３ｂ、９１３ｂ、９２３ｂ）の接合部（３１３ｂａ、３２３ｂａ、５１３ｂａ、５２３ｂａ、７１３ｂａ、７２３ｂａ、９１３ｂａ、９２３ｂａ）と、第２コイル（３０、３１０、３２０、５１０、５２０、７１０、７２０、９１０、９２０）のリード線部（３１４、３２４、５１４、５２４、７１４、７２４、９１４、９２４）の先端部（３１４ａ、３２４ａ、５１４ａ、５２４ａ、７１４ａ、７２４ａ、９１４ａ、９２４ａ）の接合部（３１４ａａ、３２４ａａ、５１４ａａ、５２４ａａ、７１４ａａ、７２４ａａ、９１４ａａ、９２４ａａ）とが、互いに接合されている。このように構成すれば、ステータコア（１０）の外径側の部分の回転軸線方向外側において、スペースをより確実に確保することができる。
【００７６】
[変形例]
なお、今回開示された実施形態は、すべての点で例示であって制限的なものではないと考えられるべきである。本発明の範囲は、上記した実施形態の説明ではなく請求の範囲によって示され、さらに請求の範囲と均等の意味および範囲内でのすべての変更（変形例）が含まれる。
【００７７】
たとえば、上記第１〜第４実施形態では、互いに形状が異なる二種類のコイルが用いられるとともに、互いに形状が異なる二種類のコイルの先端部同士が互いに接合される例を示したが、本発明はこれに限られない。本発明では、互いに形状が異なる二種類のコイルが用いられる場合に、互いに異なるスロットに配置された同じ形状のコイルの内径側リード線部の先端部と、外径側リード線部の先端部とが接合されてもよい。また、本発明では、一種類のコイルが用いられてもよいし、互いに形状が異なる三種類以上のコイルが用いられてもよい。
【００７８】
また、上記第１および第３実施形態では、互いに接合されるコイルの先端部同士が回転軸線方向に接合される例を示し、上記第２および第４実施形態では、互いに接合されるコイルの先端部同士が径方向に接合される例を示したが、本発明はこれに限られない。たとえば、互いに接合されるコイルの先端部同士が周方向に互いに接合されてもよい。つまり、互いに接合されるコイルの先端部同士が、周方向に互いに向き合う方向を向いて突き合わされた状態で、互いに接合されてもよい。
【００７９】
また、上記第１および第３実施形態では、外径側リード線部の先端部が、内径側リード線部の先端部よりも、ステータコアの回転軸線方向の端面側に配置されるように、内径側リード線部の先端部の接合部と、外径側リード線部の先端部の接合部とが、回転軸線方向に互いに接合されている例を示したが、本発明はこれに限られない。たとえば、内径側リード線部の先端部が、外径側リード線部の先端部よりも、ステータコアの回転軸線方向の端面側に配置されるように、内径側リード線部の先端部の接合部と、外径側リード線部の先端部の接合部とが、回転軸線方向に互いに接合されていてもよい。
【００８０】
また、上記第２および第４実施形態では、外径側リード線部の先端部が、内径側リード線部の先端部よりも、外径側に配置されるように、内径側リード線部の先端部の接合部と、外径側リード線部の先端部の接合部とが、径方向に互いに接合されている例を示したが、本発明はこれに限られない。本発明では、内径側リード線部の先端部が、外径側リード線部の先端部よりも、外径側に配置されるように、内径側リード線部の先端部の接合部と、外径側リード線部の先端部の接合部とが、径方向に互いに接合されていてもよい。
【００８１】
また、上記第１および第２実施形態では、互いに接合されるリード線部の先端部の接合部同士の接合長さが、平角導線の断面視における長辺の長さ以上である例を示したが、本発明はこれに限られない。本発明では、十分な接合長さが確保できるのであれば、互いに接合されるリード線部の先端部の接合部同士の接合長さは、平角導線の断面視における長辺の長さよりも小さくてもよい。
【００８２】
また、上記第１〜第４実施形態では、互いに接合されるリード線部の先端部の接合部では、平角導線の断面視における短辺側と、平角導線の断面視における長辺側とが、互いに接合されている例を示したが、本発明はこれに限られない。本発明では、互いに接合されるリード線部の先端部の接合部で、平角導線の断面視における短辺側同士が互いに接合されていてもよいし、平角導線の断面視における長辺側同士が互いに接合されていてもよい。
【００８３】
また、上記第３実施形態では、内径側リード線部の直線部の先端部の外径側に、面取り部が形成されている例を示したが、本発明はこれに限られない。本発明では、内径側リード線部の直線部の先端部の外径側に、必ずしも面取り部が形成されていなくてもよい。
【符号の説明】
【００８４】
１０  ステータコア
１３  スロット
３０、３１０、３２０、５１０、５２０、７１０、７２０、９１０、９２０  コイル（第１コイル、第２コイル）
１００、４００、６００、８００  ステータ
３１３、３２３、５１３、５２３、７１３、７２３、９１３、９２３  内径側リード線部
３１３ａ、３２３ａ、７１３ａ、７２３ａ、９１３ａ、９２３ａ  直線部
３１３ｃ、３２３ｃ  折り曲げ部
３１３ｂ、３２３ｂ、５１３ｂ、５２３ｂ、７１３ｂ、７２３ｂ、９１３ｂ、９２３ｂ  内径側リード線部の先端部
３１３ｂａ、３２３ｂａ、５１３ｂａ、５２３ｂａ、７１３ｂａ、７２３ｂａ、９１３ｂａ、９２３ｂａ  内径側リード線部の先端部の接合部
３１４、３２４、５１４、５２４、７１４、７２４、９１４、９２４  外径側リード線部
３１４ａ、３２４ａ、５１４ａ、５２４ａ、７１４ａ、７２４ａ、９１４ａ、９２４ａ  外径側リード線部の先端部
３１４ａａ、３２４ａａ、５１４ａａ、５２４ａａ、７１４ａａ、７２４ａａ、９１４ａａ、９２４ａａ  外径側リード線部の先端部の接合部
７１３ｅ、７２３ｅ  面取り部
Ｌ  接合長さ
Ｗ  平角導線の断面視における長辺の長さ
【図１】
0006777220.tif 000002
【図２】
0006777220.tif 000003
【図３】
0006777220.tif 000004
【図４】
0006777220.tif 000005
【図５】
0006777220.tif 000006
【図６】
0006777220.tif 000007
【図７】
0006777220.tif 000008
【図８】
0006777220.tif 000009
【図９】
0006777220.tif 000010
【図１０】
0006777220.tif 000011
【図１１】
0006777220.tif 000012
【図１２】
0006777220.tif 000013
【図１３】
0006777220.tif 000014
【図１４】
0006777220.tif 000015
【図１５】
0006777220.tif 000016
【図１６】
0006777220.tif 000017
【図１７】
0006777220.tif 000018
【図１８】
0006777220.tif 000019
【図１９】
0006777220.tif 000020